(57)【要約】【課題】媒体がダメージを受けることを抑制することが可能な記録装置及び画像読取装置を提供する。【解決手段】記録装置１１は、搬送経路に沿って搬送される用紙Ｐに印刷を行う記録部２３と、搬送経路における記録部２３よりも上流側に配置され、用紙Ｐを突き当てることで用紙Ｐの搬送方向に対する傾きを補正可能なレジストローラー対４７と、搬送経路におけるレジストローラー対４７よりも上流側に配置され、用紙Ｐを搬送する直前搬送ローラー対４２及び第１搬送ローラー対７２と、各ローラー対４２，７２の回転動作を制御する制御部７９とを備える。制御部７９は、レジストローラー対４７の回転を停止した状態で用紙Ｐにおける搬送方向の下流側の端部が直前搬送ローラー対４２を通過した後に用紙Ｐの搬送を停止させる場合、第１搬送ローラー対７２の回転を停止させた後に直前搬送ローラー対４２の回転を停止させる。【選択図】図３
2016079017.tif 000002
【特許請求の範囲】
【請求項１】
搬送経路に沿って搬送される媒体に記録を行う記録部と、
前記搬送経路における前記記録部よりも上流側に配置され、前記媒体を突き当てることで前記媒体の搬送方向に対する前記媒体の傾きを補正可能な補正ローラー対と、
前記搬送経路における前記補正ローラー対よりも上流側に配置され、前記媒体を搬送する複数の搬送ローラー対と、
前記補正ローラー対及び前記複数の搬送ローラー対の回転動作を制御する制御部と、
を備え、
前記制御部は、前記補正ローラー対の回転を停止した状態で前記媒体における搬送方向の下流側の端部が前記複数の搬送ローラー対のうちの最も下流側に位置する前記搬送ローラー対を通過した後に前記媒体の搬送を停止させる場合に、前記複数の搬送ローラー対のうちの最も上流側に位置する前記搬送ローラー対から最も下流側に位置する前記搬送ローラー対に向かって順次回転を停止させることを特徴とする記録装置。
【請求項２】
前記複数の搬送ローラー対のうち前記制御部が回転を停止させる前記搬送ローラー対は、前記媒体を挟持していることを特徴とする請求項１に記載の記録装置。
【請求項３】
前記制御部は、回転が停止された状態の前記複数の搬送ローラー対によって前記媒体を再び搬送する場合に、回転が停止された状態の前記複数の搬送ローラー対及び前記補正ローラー対を全て同時に回転させることを特徴とする請求項１または請求項２に記載の記録装置。
【請求項４】
前記制御部は、前記媒体における搬送方向の上流側の端部が通過した前記各搬送ローラー対の回転を停止することを特徴とする請求項１〜請求項３のうちいずれか一項に記載の記録装置。
【請求項５】
搬送経路に沿って搬送される媒体の画像を読み取る読み取り部と、
前記搬送経路における前記読み取り部よりも上流側に配置され、前記媒体を突き当てることで前記媒体の搬送方向に対する前記媒体の傾きを補正可能な補正ローラー対と、
前記搬送経路における前記補正ローラー対よりも上流側に配置され、前記媒体を搬送する複数の搬送ローラー対と、
前記補正ローラー対及び前記複数の搬送ローラー対の回転動作を制御する制御部と、
を備え、
前記制御部は、前記補正ローラー対の回転を停止した状態で前記媒体における搬送方向の下流側の端部が前記複数の搬送ローラー対のうちの最も下流側に位置する前記搬送ローラー対を通過した後に前記媒体の搬送を停止させる場合に、前記複数の搬送ローラー対のうちの最も上流側に位置する前記搬送ローラー対から最も下流側に位置する前記搬送ローラー対に向かって順次回転を停止させることを特徴とする画像読取装置。
【発明の詳細な説明】
【技術分野】
【０００１】
本発明は、例えば、用紙などの媒体の傾きを補正する機能を有した記録装置及び画像読取装置に関する。
【背景技術】
【０００２】
従来、この種の画像形成装置（記録装置）としては、例えば、特許文献１に示すものが知られている。この特許文献１のような画像形成装置は、搬送経路に沿って搬送される用紙などのシート材（媒体）のスキュー補正（傾き補正）を行うレジストローラーと、搬送経路におけるレジストローラーの上流側に配置された直前搬送ローラーと、搬送経路における直前搬送ローラーの上流側に配置された搬送ローラーとを備えている。したがって、シート材は、搬送ローラーによって直前搬送ローラーに向けて搬送された後、直前搬送ローラーによってレジストローラーに向けて搬送されるようになっている。
【０００３】
そして、停止しているレジストローラーの直前に配置されたレジストセンサーによってシート材の下流側の端部が検出された直後に、直前搬送ローラーに回転を与えるクラッチが切られることで直前搬送ローラーの回転が停止される。このとき、クラッチが切られてから直前搬送ローラーの回転が停止するまでには僅かな時間があるため、クラッチが切られてからでもこの僅かな時間分だけ直前搬送ローラーによるシート材の搬送が継続される。
【０００４】
このため、シート材は、レジストローラーに突き当たることで、レジストローラーと直前搬送ローラーとの間で撓む。このときのシート材の撓みを戻そうとする力により、シート材のスキュー補正がなされる。
【先行技術文献】
【特許文献】
【０００５】
【特許文献１】特開２００３−３１２８８７号公報
【発明の概要】
【発明が解決しようとする課題】
【０００６】
ところで、上述のような画像形成装置では、直前搬送ローラーに回転を与えるクラッチと、当該直前搬送ローラーの上流側の搬送ローラーに回転を与えるクラッチとを同時に切るようにしている。しかしながら、直前搬送ローラーは、トルクリミッターを備えているため、クラッチが切られてから回転が停止するまでの時間が当該直前搬送ローラーの上流側の搬送ローラーのそれよりも短い。
【０００７】
したがって、直前搬送ローラーの回転がその上流側の搬送ローラーの回転よりも早く停止されるので、直前搬送ローラーとその上流側の搬送ローラーとの間でシート材にしわや折れなどが発生し、シート材がダメージを受けてしまうという問題がある。
【０００８】
本発明は、このような従来技術に存在する問題点に着目してなされたものである。その目的とするところは、媒体がダメージを受けることを抑制することが可能な記録装置及び画像読取装置を提供することにある。
【課題を解決するための手段】
【０００９】
以下、上記課題を解決するための手段及びその作用効果について記載する。
上記課題を解決する記録装置は、搬送経路に沿って搬送される媒体に記録を行う記録部と、前記搬送経路における前記記録部よりも上流側に配置され、前記媒体を突き当てることで前記媒体の搬送方向に対する前記媒体の傾きを補正可能な補正ローラー対と、前記搬送経路における前記補正ローラー対よりも上流側に配置され、前記媒体を搬送する複数の搬送ローラー対と、前記補正ローラー対及び前記複数の搬送ローラー対の回転動作を制御する制御部と、を備え、前記制御部は、前記補正ローラー対の回転を停止した状態で前記媒体における搬送方向の下流側の端部が前記複数の搬送ローラー対のうちの最も下流側に位置する前記搬送ローラー対を通過した後に前記媒体の搬送を停止させる場合に、前記複数の搬送ローラー対のうちの最も上流側に位置する前記搬送ローラー対から最も下流側に位置する前記搬送ローラー対に向かって順次回転を停止させる。
【００１０】
この構成によれば、複数の搬送ローラー対の回転を停止させる際に、複数の搬送ローラー対間で媒体にテンションがかかるため、複数の搬送ローラー対間で媒体に撓みが発生することを抑制できる。したがって、搬送ローラー対間で媒体にしわや折れなどが発生することが抑制されるので、媒体がダメージを受けることを抑制することが可能となる。
【００１１】
上記記録装置において、前記複数の搬送ローラー対のうち前記制御部が回転を停止させる前記搬送ローラー対は、前記媒体を挟持していることが好ましい。
この構成によれば、複数の搬送ローラー対の回転を停止させる際に、媒体を挟持している複数の搬送ローラー対間で媒体に撓みが発生することを抑制することが可能となる。
【００１２】
上記記録装置において、前記制御部は、回転が停止された状態の前記複数の搬送ローラー対によって前記媒体を再び搬送する場合に、回転が停止された状態の前記複数の搬送ローラー対及び前記補正ローラー対を全て同時に回転させることが好ましい。
【００１３】
この構成によれば、記録部に対して安定した状態で媒体が搬送されるので、媒体に対して精度の高い良好な記録を行うことが可能となる。
上記記録装置において、前記制御部は、前記媒体における搬送方向の上流側の端部が通過した前記各搬送ローラー対の回転を停止することが好ましい。
【００１４】
この構成によれば、媒体の搬送を終えた搬送ローラー対の回転が停止されるので、搬送ローラー対を無駄に回転させないようにすることが可能となる。
上記課題を解決する画像読取装置は、搬送経路に沿って搬送される媒体の画像を読み取る読み取り部と、前記搬送経路における前記読み取り部よりも上流側に配置され、前記媒体を突き当てることで前記媒体の搬送方向に対する前記媒体の傾きを補正可能な補正ローラー対と、前記搬送経路における前記補正ローラー対よりも上流側に配置され、前記媒体を搬送する複数の搬送ローラー対と、前記補正ローラー対及び前記複数の搬送ローラー対の回転動作を制御する制御部と、を備え、前記制御部は、前記補正ローラー対の回転を停止した状態で前記媒体における搬送方向の下流側の端部が前記複数の搬送ローラー対のうちの最も下流側に位置する前記搬送ローラー対を通過した後に前記媒体の搬送を停止させる場合に、前記複数の搬送ローラー対のうちの最も上流側に位置する前記搬送ローラー対から最も下流側に位置する前記搬送ローラー対に向かって順次回転を停止させる。
【００１５】
この構成によれば、複数の搬送ローラー対の回転を停止させる際に、複数の搬送ローラー対間で媒体にテンションがかかるため、複数の搬送ローラー対間で媒体に撓みが発生することを抑制できる。したがって、搬送ローラー対間で媒体にしわや折れなどが発生することが抑制されるので、媒体がダメージを受けることを抑制することが可能となる。
【図面の簡単な説明】
【００１６】
【図１】第１実施形態としての記録装置の斜視図。
【図２】記録装置の模式構造図。
【図３】記録装置の要部を示す拡大模式図。
【図４】（ａ）〜（ｉ）は、第２増設用紙カセットの用紙を搬送して印刷を行うときの各構成の状態変化を示すタイミングチャート。
【図５】第２実施形態としての画像読取装置の模式構造図。
【発明を実施するための形態】
【００１７】
（第１実施形態）
以下、第１実施形態として記録装置の一例を、図面に従って説明する。
図１に示すように、記録装置１１は、全体として鉛直方向Ｚに長い略直方体状をなしており、プリンター部１２と、プリンター部１２上に配置されたスキャナー部１３と、スキャナー部１３上に配置された自動給紙装置１４とを備えている。プリンター部１２上におけるスキャナー部１３の隣には、記録装置１１の各種の操作を行うための操作部１５が設けられている。
【００１８】
図２に示すように、プリンター部１２内には、媒体の一例としての用紙Ｐが搬送される媒体搬送路２０と、複数のローラーによって構成されるとともに用紙Ｐを媒体搬送路２０に沿って搬送する搬送部２１とが備えられている。また、プリンター部１２内には、用紙Ｐを鉛直方向Ｚの下側から支持する支持台２２と、支持台２２に支持された用紙Ｐに画像を印刷（記録）する記録部２３とが収容されている。
【００１９】
プリンター部１２は、図２における紙面と直交する方向を用紙Ｐの幅方向Ｘとし、この幅方向Ｘと交差する方向を搬送方向として用紙Ｐを支持台２２上及び媒体搬送路２０に沿って搬送する。記録部２３は、用紙Ｐの搬送方向と交差する幅方向Ｘの略全域に渡ってインクを同時に噴射可能な液体噴射ヘッドとしてのラインヘッドを下部に備え、支持台２２上を搬送される用紙Ｐに対して鉛直方向Ｚの上側からインクを噴射して付着させることによって画像を印刷する。
【００２０】
印刷された用紙Ｐは、排紙ローラー対２４や他の複数の移送ローラー対２５によって記録部２３から媒体搬送路２０に搬送され、媒体搬送路２０の下流側の端部に設けられた媒体排出口２６から排出される。媒体排出口２６から排出された用紙Ｐは、落下して記録部２３の鉛直方向Ｚの上側に配置された載置台２７上に、図２において二点鎖線で示すように積層状態で載置される。すなわち、載置台２７は、媒体排出口２６から排出されて落下する印刷済みの用紙Ｐを順次受けて支持する。
【００２１】
図１及び図２に示すように、載置台２７は、略矩形板状をなしており、用紙Ｐの排出方向Ｙに向かうほど高さが高くなるように傾斜している。載置台２７の上面は、傾斜した載置面２８とされ、この載置面２８上に用紙Ｐが載置される。載置面２８上における用紙Ｐの幅方向Ｘの略中央には、排出方向Ｙに延在する凸部２９が形成されている。
【００２２】
そして、載置面２８上に載置された用紙Ｐは、載置面２８の傾斜に沿って排出方向Ｙとは反対の方向に滑落し、図２において二点鎖線で示すように、排出方向Ｙ側とは反対側の端部がプリンター部１２における媒体排出口２６の下側に設けられた縦側壁３０に当接することによって位置決めされる。なお、用紙Ｐの排出方向Ｙは、水平面に対して載置面２８よりも大きく傾斜している。
【００２３】
図２に示すように、本実施形態では、媒体搬送路２０は、用紙Ｐを記録部２３から媒体排出口２６まで搬送する媒体排出路３４と、用紙Ｐを記録部２３に供給する媒体供給路とを有し、当該媒体供給路は、第１媒体供給路３１と、第２媒体供給路３２と、第３媒体供給路３３とによって構成されている。
【００２４】
媒体排出路３４は、記録部２３により印刷された用紙Ｐが媒体排出口２６まで搬送される間において、記録部２３により印刷された用紙Ｐの記録面を内側にして湾曲する湾曲路３４Ａと、この湾曲路３４Ａから媒体排出口２６へ向かって用紙Ｐが一方向に搬送される直線路３４Ｂとを有している。
【００２５】
そして、媒体排出路３４は、用紙Ｐが湾曲路３４Ａ及び直線路３４Ｂを搬送されることによって、用紙Ｐの記録面が鉛直方向において上側に向く状態から下側に向く状態に用紙Ｐを反転させる湾曲反転経路として機能する。したがって、用紙Ｐは、この湾曲反転経路として機能する媒体排出路３４を通ることによって、その記録面が載置台２７の載置面２８と対峙する状態となって、媒体排出口２６から、記録部２３の上方に位置する載置台２７上に排出される。
【００２６】
また、媒体搬送路２０が有する媒体排出路３４において、直線路３４Ｂを搬送される用紙Ｐの搬送方向は直線路３４Ｂが有する一方向であり、本実施形態では、この一方向は媒体排出口２６に向かって上昇する先上がりの斜め方向とされている。したがって、この斜めとなった直線路３４Ｂの方向（一方向）が媒体排出口２６から排出される用紙Ｐの排出方向Ｙとなる。
【００２７】
第１媒体供給路３１では、プリンター部１２の一側面に備えられたカバー３５を開けることによって露出する挿入口３６から挿入される用紙Ｐが記録部２３へ搬送される。すなわち、挿入口３６へ挿入された用紙Ｐは、ホッパー３７によって第１駆動ローラー３８ａに押し付けられ、第１駆動ローラー３８ａの回転駆動によって搬送されて第１駆動ローラー３８ａと第１従動ローラー３８ｂとの間に挟まれた後、第１駆動ローラー３８ａの回転駆動によって記録部２３へ向かって搬送される。
【００２８】
第２媒体供給路３２では、プリンター部１２の下側となる底部に挿抜可能に備えらえた用紙カセット３９に積層可能に載置される用紙Ｐが記録部２３へ搬送される。すなわち、用紙カセット３９に積層状態で載置された用紙Ｐは、最上位の用紙Ｐがピックアップローラー４０で送り出され、分離ローラー対４１で一枚ずつに分離された後、搬送ローラー対の一例としての直前搬送ローラー対４２に挟まれ、直前搬送ローラー対４２の回転駆動によって記録部２３へ向かって搬送される。
【００２９】
第３媒体供給路３３では、用紙Ｐに対して両側のシート面（紙面）に印刷する両面印刷を行う場合に、記録部２３によって片側のシート面が印刷済みとされた用紙Ｐが、再び記録部２３へ搬送される。すなわち、記録部２３よりも用紙Ｐの搬送方向の下流側には、媒体排出路３４の途中に設けられた分岐機構４３の動作によって媒体排出路３４から分岐する分岐搬送路４４が設けられている。分岐搬送路４４には、正転と逆転の双方の回転が可能な分岐搬送路ローラー対４５が分岐機構４３の下流側に設けられている。
【００３０】
そして、片側のシート面が印刷された用紙Ｐは、両面印刷に際して記録部２３側から載置台２７側に向かって一旦この分岐搬送路４４へ、正転する分岐搬送路ローラー対４５によって搬送される。このとき分岐搬送路４４へ搬送された用紙Ｐはその搬送方向の先端側の一部Ｐｅが媒体排出口２６から飛び出した場合、載置台２７に積層状態で載置された用紙Ｐとは接触しないようにその飛び出し位置が設定されている。
【００３１】
その後、分岐搬送路４４へ搬送された用紙Ｐは、逆転する分岐搬送路ローラー対４５によって分岐搬送路４４を載置台２７側から記録部２３側へ逆搬送される。このとき、逆搬送される用紙Ｐは第３媒体供給路３３へ搬送され、複数の移送ローラー対２５によって記録部２３に向かって搬送される。この第３媒体供給路３３への搬送によって、用紙Ｐは印刷されていないシート面が記録部２３と対向するように反転し、第３駆動ローラー４６ａと第３従動ローラー４６ｂとの間に挟まれ、第３駆動ローラー４６ａの回転駆動によって記録部２３へ向かって搬送される。
【００３２】
各媒体供給路を記録部２３へ向かって搬送される用紙Ｐは、その搬送経路における記録部２３よりも上流側に配設された補正ローラー対の一例としてのレジストローラー対４７まで搬送されたのち、回転が停止した状態のレジストローラー対４７にその先端が突き当たる。そして、このようなレジストローラー対４７に用紙Ｐを突き当てることで、用紙Ｐの搬送方向に対する傾きが補正される。すなわち、用紙Ｐのスキュー取りがなされる。そして、傾きが補正された用紙Ｐは、その後のレジストローラー対４７の回転駆動によって、整列状態となって記録部２３側へ搬送される。
【００３３】
レジストローラー対４７によって記録部２３側に搬送された用紙Ｐは、記録部２３に対して用紙Ｐの搬送方向の上流側に配設された紙送りローラー対４８や搬送方向の下流側に配設された排紙ローラー対２４及び移送ローラー対２５などによって、記録部２３に対向しながら搬送される。この搬送される用紙Ｐに、対向する記録部２３からインクが噴射されて印刷が行われる。
【００３４】
図２に示すように、プリンター部１２内には、記録部２３に供給するインクを貯留する液体貯留部５０が備えられている。すなわち、液体貯留部５０は、チューブなどによって構成される図示しないインク供給路を介して、貯留したインクを記録部２３に供給し、記録部２３は供給されたインクを噴射して用紙Ｐに画像等を印刷する。本実施形態では、液体貯留部５０は、載置台２７に載置された用紙Ｐよりも鉛直方向Ｚの上側に配置されている。また、液体貯留部５０は、鉛直方向Ｚの上側から見て媒体排出路３４の少なくとも一部を覆うように配置されている。
【００３５】
すなわち、湾曲反転経路である媒体排出路３４の上側は、湾曲路３４Ａから続く直線路３４Ｂによって一方向に向く斜めの形状になっている。このため、プリンター部１２内には、湾曲路３４Ａにおける上側の部分から斜め形状となった直線路３４Ｂの媒体排出口２６までの間の上側に、空間１２Ｓが形成される。
【００３６】
本実施形態では、この空間１２Ｓは、幅方向Ｘにおいて、上側から見て媒体排出路３４を覆うようにプリンター部１２内に形成される。そして、液体貯留部５０は、この空間１２Ｓ内において、上側から見て媒体排出路３４の少なくとも一部を覆うように配置される。なお、本実施形態では、液体貯留部５０は、上側から見て媒体排出路３４を幅方向Ｘにおいて全部を覆うように配置されている。
【００３７】
また、この空間１２Ｓにおいて、媒体排出路３４に設けられた排出ローラーとして機能する複数の移送ローラー対２５のうち媒体排出路３４において用紙Ｐの搬送方向の最も下流側に位置する移送ローラー対２５ａは、液体貯留部５０と水平方向から見て重なる位置に設けられている。
【００３８】
さらに、この空間１２Ｓにおいて、液体貯留部５０が占有する空間を除く空間内であって、媒体排出口２６よりも用紙Ｐの排出方向Ｙの下流側に位置し、媒体排出口２６から排出される用紙Ｐを載置面２８側に押しつける方向に送風する送風部５７が備えられている。この送風部５７は回転ファン５８を有して構成され、液体貯留部５０と水平方向から見て重なる位置に設けられている。
【００３９】
なお、本実施形態では、送風部５７は、その風の吹き出し口が載置面２８の凸部２９を中心にして用紙Ｐの幅方向Ｘの両端部と対向するように、用紙Ｐの幅方向Ｘにおいて一対設けられている。もちろん、送風部５７は一つとされ、その風の吹き出し口が用紙Ｐの幅方向Ｘに連続する形状とされてもよい。
【００４０】
液体貯留部５０は、複数種類（ここでは４つの色）のインクをそれぞれ貯留する液体貯留体としてのインクカートリッジ５１，５２，５３，５４と、各インクカートリッジ５１，５２，５３，５４が装着される枠体５５を含んで構成されている。各インクカートリッジ５１，５２，５３，５４は長手方向を有する略直方体形状とされ、一面が開口する箱形状とされた枠体５５に対して、その開口を介し、長手方向を挿抜方向として挿抜可能に装着される。
【００４１】
本実施形態では、各インクカートリッジ５１，５２，５３，５４の挿抜方向は幅方向Ｘに沿う方向とされている。このため、プリンター部１２には、幅方向Ｘから見て枠体５５の開口が露出する図示しない開口部が形成され、この開口部を開閉可能な貯留部カバー５６（図１参照）が備えられている。そして、例えば、記録装置１１の使用者が、貯留部カバー５６（図１参照）を開けて図示しない開口部を露出させ、この露出した開口部を介して、各インクカートリッジ５１，５２，５３，５４を、幅方向Ｘに沿って枠体５５へ挿入したり枠体５５から抜出したりすることが可能とされている。
【００４２】
また、本実施形態では、各インクカートリッジ５１，５２，５３，５４は枠体５５に装着された状態で、その短手方向が鉛直方向Ｚ、その長手方向が幅方向Ｘとされるとともに、その厚さ方向が排出方向Ｙに沿う水平方向とされている。そして、各インクカートリッジ５１，５２，５３，５４は、それぞれ短手方向（鉛直方向Ｚ）の長さが同じであって、厚さ方向に並んだ状態で枠体５５に装着される。
【００４３】
また、各インクカートリッジ５１，５２，５３，５４のうちのインクカートリッジ５４は、記録部２３からの噴射頻度の最も高い色（例えば、黒色）のインクを貯留するインクカートリッジとされ、媒体排出口２６に対して、載置台２７側とは反対側へ最も離れた位置に配置されている。そして、インクカートリッジ５４は、その厚さが他のインクカートリッジ５１，５２，５３の厚さよりも厚くされ、他のインクカートリッジ５１，５２，５３のインクの貯留量よりも多い液量のインクを貯留することが可能とされている。
【００４４】
図２に示すように、プリンター部における記録部２３と載置台２７との間には、載置台２７とで用紙Ｐを反転させる反転経路である第３媒体供給路３３の一部を形成する矩形板状をなす経路形成部材６１が配置されている。すなわち、載置台２７の下面と経路形成部材６１の上面とによって第３媒体供給路３３が形成される。経路形成部材６１は、排出方向Ｙに向かうほど高さが高くなるように傾斜している。
【００４５】
また、図１に示すように、プリンター部１２の下端部に備えられて用紙カセット３９が着脱自在に装着される用紙カセット装着部６２の下側には、第１増設用紙カセット６３が着脱自在に装着される第１増設用紙カセット装着部６４が着脱自在に取着されている。さらに、第１増設用紙カセット装着部６４の下側には、第２増設用紙カセット６５が着脱自在に装着される第２増設用紙カセット装着部６６が着脱自在に取着されている。
【００４６】
図３に示すように、用紙カセット装着部６２には、鉛直方向Ｚに延びるとともに下流端（図３では上端）が第２媒体供給路３２に繋がる連絡搬送経路６７が設けられている。第１増設用紙カセット装着部６４には、鉛直方向Ｚに延びるとともに下流端（図３では上端）が連絡搬送経路６７の上流端（図３では下端）に繋がる第１搬送経路６８が設けられている。第２増設用紙カセット装着部６６には、鉛直方向Ｚに延びるとともに下流端（図３では上端）が第１搬送経路６８の上流端（図３では下端）に繋がる第２搬送経路６９が設けられている。
【００４７】
第１増設用紙カセット装着部６４には、第１増設用紙カセット６３に積層状態で載置された用紙Ｐのうちの最上位の用紙Ｐを送り出すピックアップローラー７０と、ピックアップローラー７０によって送り出された用紙Ｐを一枚ずつ分離して第１搬送経路６８へ搬送する分離ローラー対７１とが設けられている。第１搬送経路６８の下流端部（図３では上端部）には、分離ローラー対７１から搬送される用紙Ｐを連絡搬送経路６７へ搬送する搬送ローラー対の一例としての第１搬送ローラー対７２が設けられている。
【００４８】
第１搬送経路６８における第１搬送ローラー対７２の直ぐ下流側（図３では上側）には、用紙Ｐを検出する第１中間センサー７３が設けられている。そして、第１搬送ローラー対７２によって連絡搬送経路６７へ搬送された用紙Ｐは、直前搬送ローラー対４２によって第２媒体供給路３２へ搬送される。
【００４９】
第２増設用紙カセット装着部６６には、第２増設用紙カセット６５に積層状態で載置された用紙Ｐのうちの最上位の用紙Ｐを送り出すピックアップローラー７４と、ピックアップローラー７４によって送り出された用紙Ｐを一枚ずつ分離して第２搬送経路６９へ搬送する分離ローラー対７５とが設けられている。第２搬送経路６９の下流端部（図３では上端部）には、分離ローラー対７５から搬送される用紙Ｐを第１搬送経路６８へ搬送する搬送ローラー対の一例としての第２搬送ローラー対７６が設けられている。
【００５０】
第２搬送経路６９における第２搬送ローラー対７６の直ぐ下流側（図３では上側）には、用紙Ｐを検出する第２中間センサー７７が設けられている。そして、第２搬送ローラー対７６によって第１搬送経路６８へ搬送された用紙Ｐは、第１搬送ローラー対７２によって連絡搬送経路６７へ搬送される。なお、第２媒体供給路３２におけるレジストローラー対４７の直ぐ上流側には、用紙Ｐを検出するレジスト前センサー７８が設けられている。
【００５１】
図３に示すように、記録装置１１は、記録装置１１全体を統括的に制御する制御部７９と、各種のローラー対に駆動力を付与するモーター８０とを備えている。分離ローラー対４１，７１，７５には、モーター８０の駆動力が電磁クラッチ８１，８２，８３を介してそれぞれ伝達されるようになっている。ピックアップローラー４０，７０，７４は、分離ローラー対４１，７１，７５の回転によりそれぞれ連動して回転するようになっている。
【００５２】
また、レジストローラー対４７には電磁クラッチ８４を介してモーター８０の駆動力が伝達され、直前搬送ローラー対４２には電磁クラッチ８５を介してモーター８０の駆動力が伝達されるようになっている。さらに、第１搬送ローラー対７２には電磁クラッチ８６を介してモーター８０の駆動力が伝達され、第２搬送ローラー対７６には電磁クラッチ８７を介してモーター８０の駆動力が伝達されるようになっている。
【００５３】
モーター８０、レジスト前センサー７８、第１中間センサー７３、第２中間センサー７７、及び電磁クラッチ８１〜８７は、それぞれ制御部７９と電気的に接続されている。そして、制御部７９は、レジスト前センサー７８、第１中間センサー７３、第２中間センサー７７から送信される信号に基づいてモーター８０及び電磁クラッチ８１〜８７をそれぞれ駆動制御する。すなわち、制御部７９は、各ローラー対４１，７１，７５，４７，４２，７２，７６の回転動作を制御する。
【００５４】
次に、第２増設用紙カセット６５の用紙Ｐの印刷を行う場合の作用について、図３及び図４に基づいて説明する。なお、図４（ａ）〜（ｉ）のタイミングチャートにおいて、各ローラーはＯＮのときが回転駆動状態でＯＦＦのときが停止状態であり、各センサーはＯＮのときが用紙Ｐを検出している状態でＯＦＦのときが用紙Ｐを検出していない状態である。
【００５５】
さて、ユーザーによる操作部１５（図１参照）の操作に基づいて制御部７９から第２増設用紙カセット６５の用紙Ｐの印刷命令が出ると、分離ローラー対７５及び第２搬送ローラー対７６に電磁クラッチ８３及び電磁クラッチ８７がそれぞれ繋がり、分離ローラー対７５及び第２搬送ローラー対７６が回転する。このとき、分離ローラー対７５の回転に連動してピックアップローラー７４が回転する。
【００５６】
すると、第２増設用紙カセット６５内の最上位の用紙Ｐがピックアップローラー７４、分離ローラー対７５、及び第２搬送ローラー対７６によって第２搬送経路６９へ搬送される。続いて、第２中間センサー７７が用紙Ｐを検出（ＯＦＦからＯＮの状態になる）すると、第１搬送ローラー対７２に電磁クラッチ８６が繋がり、第１搬送ローラー対７２が回転する。
【００５７】
すると、用紙Ｐは、第１搬送ローラー対７２及び第２搬送ローラー対７６によって連絡搬送経路６７へと搬送される。このとき、第１中間センサー７３が用紙Ｐを検出（ＯＦＦからＯＮの状態になる）すると、直前搬送ローラー対４２に電磁クラッチ８５が繋がり、直前搬送ローラー対４２が回転する。そして、分離ローラー対７５が回転してからＴ１秒が経過すると、分離ローラー対７５の電磁クラッチ８３が切れて、分離ローラー対７５及びピックアップローラー７４の回転が停止する。
【００５８】
そして、用紙Ｐは、直前搬送ローラー対４２に到達すると、第２搬送ローラー対７６、第１搬送ローラー対７２、及び直前搬送ローラー対４２によってレジストローラー対４７に向かって搬送される。続いて、第２中間センサー７７が用紙Ｐを検出しなくなる（ＯＮからＯＦＦの状態になる）と、第２搬送ローラー対７６の電磁クラッチ８７が切れて、第２搬送ローラー対７６の回転が停止する。
【００５９】
引き続き、用紙Ｐが搬送されると、用紙Ｐにおける搬送方向の先端部（下流側の端部）が、複数の搬送ローラー対（直前搬送ローラー対４２、第１搬送ローラー対７２、及び第２搬送ローラー対７６）のうちで用紙Ｐの搬送方向における最も下流側に位置する搬送ローラー対である直前搬送ローラー対４２を通過する。
【００６０】
その後、レジスト前センサー７８が用紙Ｐを検出（ＯＦＦからＯＮの状態になる）すると、第１搬送ローラー対７２の電磁クラッチ８６が切れて、第１搬送ローラー対７２の回転が停止する。そして、レジスト前センサー７８が用紙Ｐを検出してからＴ２秒経過すると、直前搬送ローラー対４２の電磁クラッチ８５が切れて、直前搬送ローラー対４２の回転が停止する。
【００６１】
したがって、複数の搬送ローラー対（直前搬送ローラー対４２、第１搬送ローラー対７２、及び第２搬送ローラー対７６）は、用紙Ｐの搬送方向における最も上流側に位置する搬送ローラー対である第２搬送ローラー対７６から最も下流側に位置する搬送ローラー対である直前搬送ローラー対４２に向かって順次回転が停止される。すなわち、第２搬送ローラー対７６、第１搬送ローラー対７２、直前搬送ローラー対４２の順で回転が停止される。
【００６２】
このとき、直前搬送ローラー対４２には制動機構としてトルクリミッター（図示略）が装着されているため、電磁クラッチ８５が切れた後の直前搬送ローラー対４２の空転が抑えられる。さらにこのとき、用紙Ｐは、直前搬送ローラー対４２及び第１搬送ローラー対７２によって挟持されるとともに、その搬送方向の先端側が回転を停止した状態のレジストローラー対４７のニップ部（レジストローラー対４７を構成する２つのローラーの間の部分）に突き当たって撓んだ状態になっている。
【００６３】
このときの用紙Ｐの撓み量ＬＲは、用紙Ｐの先端がレジストローラー対４７のニップ部に突き当たってから直前搬送ローラー対４２が停止するまでの時間分の直前搬送ローラー対４２による用紙Ｐの搬送量となる。そして、用紙Ｐは、その先端側（搬送方向の下流側）がレジストローラー対４７のニップ部に突き当たって撓み、このときの撓みを戻そうとする力により、搬送方向に対する用紙Ｐの傾きが補正される。すなわち、用紙Ｐのスキュー補正（傾き補正）がなされる。
【００６４】
また、上述のように、用紙Ｐを挟持している状態の直前搬送ローラー対４２及び第１搬送ローラー対７２が停止される際には、直前搬送ローラー対４２よりも用紙Ｐの搬送経路の上流側に位置する第１搬送ローラー対７２の方が先にされる。このため、用紙Ｐにおける直前搬送ローラー対４２と第１搬送ローラー対７２との間の部分には、第１搬送ローラー対７２が停止されてから直前搬送ローラー対４２が停止されるまでの時間分だけ直前搬送ローラー対４２によって張力が付与される。したがって、用紙Ｐにおける直前搬送ローラー対４２と第１搬送ローラー対７２との間の部分には、撓みが発生しない。
【００６５】
引き続き、レジスト前センサー７８が用紙Ｐを検出してからＴ３秒経過すると、レジストローラー対４７、直前搬送ローラー対４２、及び第１搬送ローラー対７２に対して電磁クラッチ８４、電磁クラッチ８５、及び電磁クラッチ８６がそれぞれ同時に繋がる。これにより、レジストローラー対４７、直前搬送ローラー対４２、及び第１搬送ローラー対７２が全て同時に回転することで、スキュー補正がなされた用紙Ｐが記録部２３へ向かって再び搬送される。そして、この搬送される用紙Ｐは、記録部２３に到達した部分から順次インクが噴射されて印刷される。
【００６６】
引き続き、第１中間センサー７３が用紙Ｐを検出しなくなる（ＯＮからＯＦＦの状態になる）と、第１搬送ローラー対７２の電磁クラッチ８６が切れて、第１搬送ローラー対７２の回転が停止する。引き続き、第１中間センサー７３が用紙Ｐを検出しなくなってからＴ４秒経過して用紙Ｐが直前搬送ローラー対４２を通過すると、直前搬送ローラー対４２の電磁クラッチ８５が切れて、直前搬送ローラー対４２の回転が停止する。
【００６７】
引き続き、レジスト前センサー７８が用紙Ｐを検出しなくなって（ＯＮからＯＦＦの状態になって）からＴ５秒が経過して用紙Ｐがレジストローラー対４７を通過すると、レジストローラー対４７の電磁クラッチ８４が切れて、レジストローラー対４７の回転が停止する。したがって、レジストローラー対４７、直前搬送ローラー対４２、第１搬送ローラー対７２、及び第２搬送ローラー対７６は、それぞれ用紙Ｐにおける搬送方向の上流側の端部（後端部）が通過した後に、回転が停止される。
【００６８】
このようにして１枚目の用紙Ｐの記録部２３への搬送動作が終了するが、第２増設用紙カセット６５の２枚目の用紙Ｐを続けて印刷する場合には、１枚目の用紙Ｐの搬送動作によって分離ローラー対７５に電磁クラッチ８３が繋がってからＴ６秒後に、上述した１枚目の用紙Ｐの搬送動作と同様の搬送動作が開始される。
【００６９】
以上、詳述した第１実施形態によれば以下の効果を得ることができる。
（１）記録装置１１において、用紙Ｐのスキュー補正を行うべく直前搬送ローラー対４２及び第１搬送ローラー対７２の回転を停止させる場合には、直前搬送ローラー対４２よりも用紙Ｐの搬送経路における上流側に位置する第１搬送ローラー対７２を先に停止させている。すなわち、第１搬送ローラー対７２の回転を停止させてから、直前搬送ローラー対４２の回転を停止させている。このため、用紙Ｐの搬送経路における第１搬送ローラー対７２と直前搬送ローラー対４２との間で用紙Ｐに張力（テンション）がかかるので、用紙Ｐの搬送経路における第１搬送ローラー対７２と直前搬送ローラー対４２との間で用紙Ｐに撓みが発生することを抑制できる。したがって、用紙Ｐの搬送経路における第１搬送ローラー対７２と直前搬送ローラー対４２との間で用紙Ｐにしわや折れなどが発生することを抑制できるので、用紙Ｐがダメージを受けることを抑制することができる。
【００７０】
（２）記録装置１１において、用紙Ｐのスキュー補正を行うべく回転が停止される直前搬送ローラー対４２及び第１搬送ローラー対７２は、用紙Ｐを挟持している。このため、直前搬送ローラー対４２及び第１搬送ローラー対７２の回転を停止させる際に、用紙Ｐを挟持している直前搬送ローラー対４２及び第１搬送ローラー対７２間で用紙Ｐに撓みが発生することを抑制することができる。
【００７１】
（３）記録装置１１において、回転が停止された状態の直前搬送ローラー対４２及び第１搬送ローラー対７２によって用紙Ｐを再び搬送する場合には、直前搬送ローラー対４２、第１搬送ローラー対７２、及びレジストローラー対４７を全て同時に回転させている。このため、記録部２３に対して安定した状態で用紙Ｐが搬送されるので、用紙Ｐに対して精度の高い良好な印刷を行うことができる。
【００７２】
（４）記録装置１１において、直前搬送ローラー対４２、第１搬送ローラー対７２、及び第２搬送ローラー対７６は、それぞれ用紙Ｐにおける搬送方向の上流側の端部（後端部）が通過した後に、回転が停止される。このため、直前搬送ローラー対４２、第１搬送ローラー対７２、及び第２搬送ローラー対７６は、用紙Ｐの搬送を終えた後に回転がそれぞれ停止されるので、直前搬送ローラー対４２、第１搬送ローラー対７２、及び第２搬送ローラー対７６を無駄に回転させないようにすることができる。
【００７３】
（第２実施形態）
次に、第２実施形態として画像読取装置の一例を、図面に従って説明する。
図５に示すように、画像読取装置１００は、用紙Ｐをセットするトレイ１０１と、トレイ１０１にセットされた用紙Ｐをトレイ１０１の下側に設けられた排紙部１０２へ搬送するための搬送経路１０３と、搬送経路１０３の途中位置に配置されて用紙Ｐの画像の読み取り面１０４ａを形成する無色透明のガラス板１０４とを備えている。ガラス板１０４の真下の位置には、搬送経路１０３に沿って搬送されるとともに読み取り面１０４ａ上を通過する用紙Ｐの画像をガラス板１０４越しに読み取る読み取り部１０５が配置されている。
【００７４】
搬送経路１０３には、上流側から下流側に向かって順に、紙送りローラー１０６、搬送ローラー対の一例としての第１搬送ローラー対１０７、搬送ローラー対の一例としての直前搬送ローラー対１０８、補正ローラー対の一例としてのレジストローラー対１０９、移送ローラー対１１０、及び排紙ローラー対１１１が適宜間隔を置いて配置されている。
【００７５】
紙送りローラー１０６は、トレイ１０１にセットされた用紙Ｐを搬送経路１０３に沿うように第１搬送ローラー対１０７に向かって送り出す。第１搬送ローラー対１０７は、紙送りローラー１０６から送り出された用紙Ｐを搬送経路１０３に沿うように直前搬送ローラー対１０８に向かって搬送する。直前搬送ローラー対１０８は、第１搬送ローラー対１０７から搬送されてくる用紙Ｐを搬送経路１０３に沿うようにレジストローラー対１０９に向かって搬送する。
【００７６】
レジストローラー対１０９は、回転を停止した状態で直前搬送ローラー対１０８から搬送されてくる用紙Ｐを突き当てることで用紙Ｐの搬送方向に対する用紙Ｐの傾きを補正した後、回転することで用紙Ｐを読み取り面１０４ａ上へ搬送する。したがって、レジストローラー対１０９は、搬送経路１０３における読み取り部１０５よりも上流側に配置されている。移送ローラー対１１０は、読み取り面１０４ａ上を通過した用紙Ｐを搬送経路１０３に沿うように排紙ローラー対１１１に向かって搬送する。排紙ローラー対１１１は、移送ローラー対１１０から搬送されてくる用紙Ｐを排紙部１０２へ排紙する。
【００７７】
図５に示すように、画像読取装置１００は、画像読取装置１００全体を統括的に制御する制御部１１２と、各種のローラー対に駆動力を付与するモーター１１３とを備えている。第１搬送ローラー対１０７には、モーター１１３の駆動力が電磁クラッチ１１４を介して伝達される。紙送りローラー１０６は、第１搬送ローラー対１０７の回転に連動して回転する。
【００７８】
直前搬送ローラー対１０８には電磁クラッチ１１５を介してモーター１１３の駆動力が伝達され、レジストローラー対１０９には電磁クラッチ１１６を介してモーター１１３の駆動力が伝達される。移送ローラー対１１０には電磁クラッチ１１７を介してモーター１１３の駆動力が伝達され、排紙ローラー対１１１には電磁クラッチ１１８を介してモーター１１３の駆動力が伝達される。搬送経路１０３における第１搬送ローラー対１０７の直ぐ下流側の位置には用紙Ｐを検出する中間センサー１１９が設けられ、搬送経路１０３におけるレジストローラー対１０９の直ぐ上流側の位置には用紙Ｐを検出するレジスト前センサー１２０が設けられている。
【００７９】
モーター１１３、レジスト前センサー１２０、中間センサー１１９、及び電磁クラッチ１１４〜１１８は、それぞれ制御部１１２と電気的に接続されている。そして、制御部１１２は、レジスト前センサー１２０及び中間センサー１１９から送信される信号に基づいてモーター１１３及び電磁クラッチ１１４〜１１８をそれぞれ駆動制御する。すなわち、制御部１１２は、各ローラー対１０７，１０８，１０９，１１０，１１１の回転動作を制御する。
【００８０】
次に、画像読取装置１００によって用紙Ｐの画像を読み取る際の作用について説明する。
さて、ユーザーの操作に基づいて制御部１１２から用紙Ｐの読み取り命令が出ると、第１搬送ローラー対１０７に電磁クラッチ１１４が繋がり、第１搬送ローラー対１０７が回転する。このとき、第１搬送ローラー対１０７の回転に連動して紙送りローラー１０６が回転する。
【００８１】
すると、トレイ１０１上の最上位の用紙Ｐが紙送りローラー１０６及び第１搬送ローラー対１０７により搬送経路１０３に沿って下流側へ搬送される。続いて、中間センサー１１９が用紙Ｐを検出すると、直前搬送ローラー対１０８に電磁クラッチ１１５が繋がり、直前搬送ローラー対１０８が回転する。
【００８２】
引き続き、用紙Ｐが搬送されると、用紙Ｐにおける搬送方向の先端部（下流側の端部）が、複数の搬送ローラー対（直前搬送ローラー対１０８及び第１搬送ローラー対１０７）のうちで用紙Ｐの搬送方向における最も下流側に位置する搬送ローラー対である直前搬送ローラー対１０８を通過する。
【００８３】
その後、レジスト前センサー１２０が用紙Ｐを検出すると、第１搬送ローラー対１０７の電磁クラッチ１１４が切れて、第１搬送ローラー対１０７の回転が停止する。そして、レジスト前センサー１２０が用紙Ｐを検出してから所定時間が経過すると、直前搬送ローラー対１０８の電磁クラッチ１１５が切れて、直前搬送ローラー対１０８の回転が停止する。
【００８４】
したがって、複数の搬送ローラー対（直前搬送ローラー対１０８及び第１搬送ローラー対１０７）は、用紙Ｐの搬送方向における最も上流側に位置する搬送ローラー対である第１搬送ローラー対１０７から最も下流側に位置する搬送ローラー対である直前搬送ローラー対１０８に向かって順次回転が停止される。すなわち、第１搬送ローラー対１０７、直前搬送ローラー対１０８の順で回転が停止される。
【００８５】
このとき、直前搬送ローラー対１０８には制動機構としてトルクリミッター（図示略）が装着されているため、電磁クラッチ１１５が切れた後の直前搬送ローラー対１０８の空転が抑えられる。さらにこのとき、用紙Ｐは、直前搬送ローラー対１０８及び第１搬送ローラー対１０７によって挟持されるとともに、その搬送方向の先端側が回転を停止した状態のレジストローラー対１０９のニップ部（レジストローラー対１０９を構成する２つのローラーの間の部分）に突き当たって撓んだ状態になっている。
【００８６】
このときの用紙Ｐの撓み量は、用紙Ｐの先端がレジストローラー対１０９のニップ部に突き当たってから直前搬送ローラー対１０８が停止するまでの時間分の直前搬送ローラー対１０８による用紙Ｐの搬送量となる。そして、用紙Ｐは、その先端側（搬送方向の下流側）がレジストローラー対１０９のニップ部に突き当たって撓み、このときの撓みを戻そうとする力により、搬送方向に対する用紙Ｐの傾きが補正される。すなわち、用紙Ｐのスキュー補正（傾き補正）がなされる。
【００８７】
また、上述のように、用紙Ｐを挟持している状態の直前搬送ローラー対１０８及び第１搬送ローラー対１０７が停止される際には、直前搬送ローラー対１０８よりも用紙Ｐの搬送経路の上流側に位置する第１搬送ローラー対１０７の方が先にされる。このため、用紙Ｐにおける直前搬送ローラー対１０８と第１搬送ローラー対１０７との間の部分には、第１搬送ローラー対１０７が停止されてから直前搬送ローラー対１０８が停止されるまでの時間分だけ直前搬送ローラー対１０８によって張力が付与される。したがって、用紙Ｐにおける直前搬送ローラー対１０８と第１搬送ローラー対１０７との間の部分には、撓みが発生しない。
【００８８】
引き続き、レジスト前センサー１２０が用紙Ｐを検出してから所定時間が経過すると、レジストローラー対１０９、直前搬送ローラー対１０８、及び第１搬送ローラー対１０７に対して電磁クラッチ１１６、電磁クラッチ１１５、及び電磁クラッチ１１４がそれぞれ同時に繋がる。これにより、レジストローラー対１０９、直前搬送ローラー対１０８、及び第１搬送ローラー対１０７が全て同時に回転することで、スキュー補正がなされた用紙Ｐが読み取り面１０４ａ上へ向かって再び搬送される。そして、この搬送される用紙Ｐは、読み取り面１０４ａ上を通過する過程で読み取り部１０５によって画像が読み取られる。
【００８９】
引き続き、中間センサー１１９が用紙Ｐを検出しなくなると、第１搬送ローラー対１０７の電磁クラッチ１１４が切れて、第１搬送ローラー対１０７の回転が停止する。引き続き、中間センサー１１９が用紙Ｐを検出しなくなってから所定時間が経過して用紙Ｐが直前搬送ローラー対１０８を通過すると、直前搬送ローラー対１０８の電磁クラッチ１１５が切れて、直前搬送ローラー対１０８の回転が停止する。
【００９０】
引き続き、レジスト前センサー１２０が用紙Ｐを検出しなくなってから所定時間が経過して用紙Ｐがレジストローラー対１０９を通過すると、レジストローラー対１０９の電磁クラッチ１１６が切れて、レジストローラー対１０９の回転が停止する。したがって、レジストローラー対１０９、直前搬送ローラー対１０８、及び第１搬送ローラー対１０７は、それぞれ用紙Ｐにおける搬送方向の上流側の端部（後端部）が通過した後に、回転が停止される。
【００９１】
引き続き、読み取り面１０４ａ上を通過した用紙Ｐは、移送ローラー対１１０によって搬送された後、排紙ローラー対１１１によって排紙部１０２へ排紙される。その後、移送ローラー対１１０の電磁クラッチ１１７及び排紙ローラー対１１１の電磁クラッチ１１８が切れて、移送ローラー対１１０及び排紙ローラー対１１１の回転が停止する。これにより、用紙Ｐの画像の読み取り動作が終了する。
【００９２】
以上、詳述した第２実施形態によれば以下の効果を得ることができる。
（５）記録装置１１において、用紙Ｐのスキュー補正を行うべく直前搬送ローラー対１０８及び第１搬送ローラー対１０７の回転を停止させる場合には、直前搬送ローラー対１０８よりも用紙Ｐの搬送経路における上流側に位置する第１搬送ローラー対１０７を先に停止させている。すなわち、第１搬送ローラー対１０７の回転を停止させてから、直前搬送ローラー対１０８の回転を停止させている。このため、用紙Ｐの搬送経路における第１搬送ローラー対１０７と直前搬送ローラー対１０８との間で用紙Ｐに張力（テンション）がかかるので、用紙Ｐの搬送経路における第１搬送ローラー対１０７と直前搬送ローラー対１０８との間で用紙Ｐに撓みが発生することを抑制できる。したがって、用紙Ｐの搬送経路における第１搬送ローラー対１０７と直前搬送ローラー対１０８との間で用紙Ｐにしわや折れなどが発生することを抑制できるので、用紙Ｐがダメージを受けることを抑制することができる。
【００９３】
（変更例）
なお、上記各実施形態は以下のように変更してもよい。
・第１実施形態の記録装置１１において、直前搬送ローラー対４２、第１搬送ローラー対７２、及び第２搬送ローラー対７６は、用紙Ｐにおける搬送方向の上流側の端部（後端部）が通過した後に、必ずしも回転を停止させる必要はない。
【００９４】
・第１実施形態の記録装置１１において、回転が停止された状態の直前搬送ローラー対４２及び第１搬送ローラー対７２によって用紙Ｐを再び搬送する場合には、必ずしも直前搬送ローラー対４２、第１搬送ローラー対７２、及びレジストローラー対４７を全て同時に回転させる必要はない。例えば、レジストローラー対４７、直前搬送ローラー対４２、第１搬送ローラー対７２の順で、これらを回転させるようにしてもよい。このようにすれば、用紙Ｐの搬送経路の下流側に配置されたローラー対から順に回転されるので、レジストローラー対４７と直前搬送ローラー対４２との間や、直前搬送ローラー対４２と第１搬送ローラー対７２との間で用紙Ｐが撓むことを抑制できる。
【００９５】
・第２実施形態の画像読取装置１００において、回転が停止された状態の直前搬送ローラー対１０８及び第１搬送ローラー対１０７によって用紙Ｐを再び搬送する場合には、必ずしも直前搬送ローラー対１０８、第１搬送ローラー対１０７、及びレジストローラー対１０９を全て同時に回転させる必要はない。例えば、レジストローラー対１０９、直前搬送ローラー対１０８、第１搬送ローラー対１０７の順で、これらを回転させるようにしてもよい。このようにすれば、用紙Ｐの搬送経路１０３の下流側に配置されたローラー対から順に回転されるので、レジストローラー対１０９と直前搬送ローラー対１０８との間や、直前搬送ローラー対１０８と第１搬送ローラー対１０７との間で用紙Ｐが撓むことを抑制できる。
【００９６】
・第１実施形態の記録装置１１において、用紙Ｐを搬送する搬送ローラー対を４つ以上設けるようにしてもよい。
・第２実施形態の画像読取装置１００において、用紙Ｐを搬送する搬送ローラー対を３つ以上設けるようにしてもよい。
【００９７】
・第１実施形態の記録装置１１のプリンター部１２は、インクジェットプリンターで構成したが、レーザープリンターで構成してもよい。
・第１及び第２実施形態において、媒体は、用紙Ｐだけでなく、布やプラスチックフィルムなどであってもよい。
【００９８】
・第１実施形態において、記録装置１１は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【符号の説明】
【００９９】
１１…記録装置、２３…記録部、３２…第２媒体供給路（搬送経路）、４２，１０８…搬送ローラー対の一例としての直前搬送ローラー対、４７，１０９…補正ローラー対の一例としてのレジストローラー対、６７…連絡搬送経路（搬送経路）、６８…第１搬送経路（搬送経路）、６９…第２搬送経路（搬送経路）、７２，１０７…搬送ローラー対の一例としての第１搬送ローラー対、７６…搬送ローラー対の一例としての第２搬送ローラー対、７９，１１２…制御部、１００…画像読取装置、１０３…搬送経路、１０５…読み取り部、Ｐ…媒体の一例としての用紙。
【図１】
2016079017.tif 000003
【図２】
2016079017.tif 000004
【図３】
2016079017.tif 000005
【図４】
2016079017.tif 000006
【図５】
2016079017.tif 000007